(57)【要約】【課題】主に各種電子機器の操作に用いられるタッチパネル及びこれを用いたリモコン送信機に関し、薄型化が図れ、確実な操作が可能なものを提供することを目的とする。【解決手段】フィルム状のベースシート１３上面に、略三角形状の複数の導電層１４を放射状に配列してタッチパネル１２を形成すると共に、制御手段２５がこのタッチパネル１２の操作に応じて、送信手段２４からリモコン信号を送信することによって、タッチパネル１２を板状の薄い形状に形成し薄型化が図れると共に、略三角形状または略台形状の複数の導電層１４のいずれかに、指で軽く触れ接触操作するだけで操作を行えるため、誤操作がなく確実な操作が可能なタッチパネル、及びこれを用いたリモコン送信機を得ることができる。【選択図】図１
2009218986.tif 000002
【特許請求の範囲】
【請求項１】
フィルム状のベースシートと、この上面に形成された複数の導電層からなり、上記導電層を略三角形状または略台形状に形成すると共に、これらを放射状に配列したタッチパネル。
【請求項２】
請求項１記載のタッチパネルと、このタッチパネルに接続された制御手段からなり、上記制御手段が上記タッチパネルの操作に応じて、送信手段からリモコン信号を送信するリモコン送信機。
【発明の詳細な説明】
【技術分野】
【０００１】
本発明は、主に各種電子機器の操作に使用されるタッチパネル及びこれを用いたリモコン送信機に関するものである。
【背景技術】
【０００２】
近年、テレビやビデオ、エアコン等の各種電子機器の高機能化が進むなか、これらを操作するタッチパネルやリモコン送信機においても、多様で確実な操作を行えるものが求められている。
【０００３】
このような従来のリモコン送信機について、図６〜図８を用いて説明する。
【０００４】
なお、これらの図面のうち断面図は、構成を判り易くするために厚さ方向の寸法を拡大して表している。
【０００５】
図７は従来のリモコン送信機の断面図、図８は同分解斜視図であり、同図において、１は略箱状で絶縁樹脂製のケースで、この上面には略円盤状の揺動体２が傾倒可能に装着されると共に、揺動体２の中央部には押釦３が上下動可能に装着されている。
【０００６】
そして、４はゴム等の操作体で、揺動体２や押釦３下方の操作体４上面には、下方に略ドーム状の薄肉部が形成され、下面に可動接点５が形成された複数の押圧部４Ａが設けられると共に、同じく上面が上ケース１上面の貫通孔から上下動可能に突出した複数の操作部４Ｂが設けられている。
【０００７】
また、６は上下面に複数の配線パターン（図示せず）が形成された配線基板で、この上面には押圧部４Ａや操作部４Ｂ下面の可動接点５と、所定の間隙を空けて対向する複数の固定接点７が形成されている。
【０００８】
さらに、配線基板６の上下面には、発光ダイオード等のリモコン信号を送信する送信手段８や、配線パターンを介して送信手段８や複数の固定接点７に接続されたマイコン等の制御手段９が形成されると共に、ケース１下面を絶縁樹脂製のカバー１０が覆って、リモコン送信機が構成されている。
【０００９】
以上の構成において、リモコン送信機を操作する電子機器に向けて、指で所定の操作部４Ｂの上面を押圧操作すると、略ドーム状の薄肉部が弾性変形して操作部４Ｂが下方へ移動し、この下面の可動接点５が複数の固定接点７に接触して、可動接点５を介して複数の固定接点７の電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００１０】
また、図６の正面図に示すように、遠隔操作する電子機器３０の表示画面３１に、例えば番組表やメニュー等が表示された状態で、指で揺動体２を前後または左右方向へ傾倒操作すると、この下方の各々の押圧部４Ａが押圧され、下面の可動接点５が複数の固定接点７に接触して電気的接離が行われ、制御手段９が送信手段８からリモコン信号を送信し、例えば、表示画面３１に表示されたカーソル３２やポインタ３３等が、上下方向や左右方向へ移動して、番組表やメニュー等の選択が行われる。
【００１１】
さらに、カーソル３２やポインタ３３等が所望の番組やメニュー上に位置した状態で、揺動体２中央の押釦３を押圧操作すると、この下方の押圧部４Ａが押圧されて固定接点７の電気的接離が行われ、これを制御手段９が検出して送信手段８からリモコン信号を送信し、例えば、番組の予約や次のメニューの表示等が行われる。
【００１２】
つまり、複数の操作部４Ｂの押圧操作によって、電源や音量といった機器の各機能の遠隔操作を行うと共に、揺動体２の傾倒操作によって、番組表等の表示画面３１に表示されたメニューの選択を行い、さらに揺動体２中央の押釦３の押圧操作によって、メニューの確定や次メニューの表示等を、遠隔操作によって行うことができるように構成されているものであった。
【００１３】
なお、この出願の発明に関連する先行技術文献情報としては、例えば、特許文献１が知られている。
【特許文献１】特開２００６−３３６８０号公報
【発明の開示】
【発明が解決しようとする課題】
【００１４】
しかしながら、上記従来のリモコン送信機においては、機器の表示画面３１に表示されたメニューの選択等を行う際、揺動体２を前後左右に傾倒操作し、この下方の複数の押圧部４Ａを押圧する構成となっているため、高さ方向の寸法が大きなものになってしまうと共に、ある程度の力で揺動体２を押す必要があるため、揺動体２の押し方によっては、意図しない方向の押圧部４Ａを押圧してしまい、誤操作も起こし易いという課題があった。
【００１５】
本発明は、このような従来の課題を解決するものであり、薄型化が図れ、確実な操作が可能なタッチパネル、及びこれを用いたリモコン送信機を提供することを目的とする。
【課題を解決するための手段】
【００１６】
上記目的を達成するために本発明は、以下の構成を有するものである。
【００１７】
本発明の請求項１に記載の発明は、フィルム状のベースシート上面に形成された複数の導電層を、略三角形状または略台形状に形成すると共に、これらを放射状に配列してタッチパネルを構成したものであり、全体を板状の薄い形状に形成できると共に、略三角形状または略台形状の複数の導電層のいずれかに、指で軽く触れ接触操作するだけで操作を行えるため、誤操作がなく確実な操作が可能なタッチパネルを得ることができるという作用を有する。
【００１８】
請求項２に記載の発明は、請求項１記載のタッチパネルに制御手段を接続すると共に、制御手段がタッチパネルの操作に応じて、送信手段からリモコン信号を送信するようにしてリモコン送信機を構成したものであり、薄型化が図れ、確実な操作が可能なリモコン送信機を実現できるという作用を有する。
【発明の効果】
【００１９】
以上のように本発明によれば、薄型化が図れ、確実な操作が可能なタッチパネル及びこれを用いたリモコン送信機を実現できるという有利な効果が得られる。
【発明を実施するための最良の形態】
【００２０】
以下、本発明の実施の形態について、図１〜図６を用いて説明する。
【００２１】
なお、これらの図面のうち断面図は、構成を判り易くするために厚さ方向の寸法を拡大して表している。
【００２２】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２はタッチパネルで、ケース１１上面の開口孔にタッチパネル１２が装着されている。
【００２３】
そして、このタッチパネル１２は、図３の平面図に示すように、ポリエーテルサルホンやポリカーボネート、ポリエチレンテレフタレート等のフィルム状のベースシート１３の上面に、略三角形状でカーボンや銀、酸化インジウム錫等の複数の導電層１４が、印刷やエッチング、スパッタ法等によって放射状に配列されて構成されている。
【００２４】
また、１５はフィルム状でポリエチレンテレフタレート等の光透過性のカバーシート、１６は絶縁樹脂製の保持板で、カバーシート１５下面には印刷等によって、複数の導電層１４に対応した文字や記号等が印刷形成されると共に、タッチパネル１２上面にカバーシート１５が、下面に保持板１６が各々積重され、これらがアクリルやゴム等の接着剤（図示せず）によって貼り合わされている。
【００２５】
さらに、１７はゴムやエラストマー等の操作体で、下方に略ドーム状の薄肉部が形成され、下面に可動接点１８が形成された複数の操作部１７Ａが設けられると共に、これらの上面が上ケース１１上面の貫通孔から上下動可能に突出している。
【００２６】
そして、１９は紙フェノールやガラス入りエポキシ等の配線基板で、上下面には銅箔等によって複数の配線パターン（図示せず）が形成されると共に、上面には操作部１７Ａ下面の可動接点１８と、所定の間隙を空けて対向する複数の固定接点２０が形成されている。
【００２７】
また、タッチパネル１２中央下方の配線基板１９上面に設けられた複数の固定接点２１上には、略ドーム状で銅合金や鋼等の導電金属薄板製のダイヤフラム２２が載置され、被覆シート２３によって配線基板１９に貼付されてスイッチ接点が形成されると共に、ダイヤフラム２２の中央上面には保持板１６下面の突出部１６Ａが当接している。
【００２８】
さらに、タッチパネル１２のベースシート１３から延出したテール部１３Ａには、各導電層１４に接続された複数の電極部１４Ａが形成されると共に、テール部１３Ａが保持板１６や操作体１７を挿通し、電極部１４Ａ端部が合成樹脂内に導電粒子を分散した異方導電接着剤（図示せず）等によって、配線基板１９の配線パターンに接続されている。
【００２９】
そして、配線基板１９の上下面には、発光ダイオード等のリモコン信号を送信する送信手段２４や、配線パターンを介して送信手段２４や複数の固定接点２０や２１、タッチパネル１２の複数の導電層１４に接続されたマイコン等の制御手段２５が形成されると共に、ケース１１下面を絶縁樹脂製のカバー２６が覆って、リモコン送信機が構成されている。
【００３０】
以上の構成において、リモコン送信機を操作する電子機器に向けて、指で所定の操作部１７Ａの上面を押圧操作すると、略ドーム状の薄肉部が弾性変形して操作部１７Ａが下方へ移動し、この下面の可動接点１８が複数の固定接点２０に接触して、可動接点１８を介して複数の固定接点２０の電気的接離が行われ、この電気的接離に応じて制御手段２５が、送信手段２４から赤外線のリモコン信号を電子機器へ送信し、例えば、テレビの電源の入／切や音量の増減等が遠隔操作によって行われる。
【００３１】
また、図６の正面図に示すように、遠隔操作する電子機器３０の表示画面３１に、例えば番組表やメニュー等が表示された状態で、カバーシート１５上面の所定の表示に指を触れ接触操作すると、この下面のタッチパネル１２の複数の導電層１４には所定の電圧が印加されているため、触れた箇所の導電層１４の電荷の一部が指に導電し、操作した箇所の導電層１４の容量が変化する。
【００３２】
そして、この容量変化によって制御手段２５が、タッチパネル１２のどの箇所の導電層１４が接触操作されたかを検出し、この指の接触箇所に応じたリモコン信号を、制御手段２５が送信手段２４から機器へ送信し、例えば、表示画面３１に表示されたカーソル３２やポインタ３３等が、上下方向や左右方向へ移動して、番組表やメニュー等の選択が行われる。
【００３３】
さらに、カーソル３２やポインタ３３等が所望の番組やメニュー上に位置した状態で、カバーシート１５中央上面を押圧操作すると、タッチパネル１２や保持板１６が下方へ移動し、保持板１６下面の突出部１６Ａが被覆シート２３を介して、ダイヤフラム２２の中央上面を押圧し、ダイヤフラム２２が弾性反転して下面が固定接点２１に接触し、ダイヤフラム２２を介して複数の固定接点２１の電気的接離が行われる。
【００３４】
そして、この固定接点２１の電気的接離を制御手段２５が検出して、送信手段２４からリモコン信号を機器へ送信し、例えば、番組の予約や次のメニューの表示等が行われる。
【００３５】
つまり、複数の操作部１７Ａの押圧操作によって、電源や音量といった機器の各機能の遠隔操作を行うと共に、タッチパネル１２の接触操作によって、番組表等の表示画面３１に表示されたメニューの選択を行い、さらにタッチパネル１２中央を押圧操作し、この下方のダイヤフラム２２を弾性反転させることによって、メニューの確定や次メニューの表示等を、遠隔操作によって行うことができるように構成されている。
【００３６】
また、このような機器の表示画面３１に表示されたメニューの選択等を行う際、タッチパネル１２が上述したように、フィルム状のベースシート１３上面に、略三角形状の複数の導電層１４を放射状に配列して形成されているため、カバーシート１５や保持板１６と組み合わせた状態でも、全体を板状の薄い形状に形成できると共に、誤操作がなく容易に操作が行えるようになっている。
【００３７】
つまり、複数の導電層１４上方の、カバーシート１５上面の所定の表示に指を触れることで、触れた箇所の導電層１４の容量が変化し、この容量変化から制御手段２５が接触箇所を検出し、送信手段２４からリモコン信号を送信することによって、指で軽く触れ接触操作するだけで容易に遠隔操作が行え、誤操作がなく確実な操作が可能なように構成されている。
【００３８】
なお、以上の説明では、ベースシート１３上面に略三角形状の四つの導電層１４を放射状に配列し、カーソル３２やポインタ３３等を上下または左右の四方向へ移動させる構成について説明したが、図４の平面図に示すように、ベースシート１３上面に八つの導電層１４Ｂを放射状に形成した構成とすれば、カーソル３２やポインタ３３等を斜め方向も加えた八方向へ移動させることができ、より多様な操作が可能となる。
【００３９】
さらに、以上の説明では、タッチパネル１２下方にダイヤフラム２２や固定接点２１によってスイッチ接点を設け、これらを押圧操作してメニューの確定等を行う構成について説明したが、図５の平面図に示すように、ベースシート１３上面に略台形状の複数の導電層１４Ｃや１４Ｅを放射状に配列すると共に、中央部に略矩形状の導電層１４Ｄや略八角形状の導電層１４Ｆを設けてタッチパネル１２を形成することによって、上述したと同様にメニューの確定等の操作を行うことができる。
【００４０】
つまり、先ず、導電層１４Ｃや１４Ｅへの接触操作によって、番組表等の表示画面３１に表示されたメニューの選択を行い、次に、中央部の導電層１４Ｄや１４Ｆへの接触操作によって、制御手段２５が送信手段２４からリモコン信号を機器へ送信してメニューの確定等を行うようにすれば、ダイヤフラム２２や固定接点２１等のスイッチ接点が不要となり、リモコン送信機をさらに簡易に形成することができる。
【００４１】
このように本実施の形態によれば、フィルム状のベースシート１３上面に、略三角形状の複数の導電層１４を放射状に配列してタッチパネル１２を形成すると共に、制御手段２５がこのタッチパネル１２の操作に応じて、送信手段２４からリモコン信号を送信することによって、タッチパネル１２を板状の薄い形状に形成し薄型化が図れると共に、略三角形状または略台形状の複数の導電層１４のいずれかに、指で軽く触れ接触操作するだけで操作を行えるため、誤操作がなく確実な操作が可能なタッチパネル、及びこれを用いたリモコン送信機を得ることができるものである。
【産業上の利用可能性】
【００４２】
本発明によるタッチパネル及びこれを用いたリモコン送信機は、薄型化が図れ、確実な操作が可能なものが得られ、主に各種電子機器の操作用として有用である。
【図面の簡単な説明】
【００４３】
【図１】本発明の一実施の形態によるリモコン送信機の断面図
【図２】同分解斜視図
【図３】同タッチパネルの平面図
【図４】同他の実施の形態による平面図
【図５】同他の実施の形態による平面図
【図６】電子機器の正面図
【図７】従来のリモコン送信機の断面図
【図８】同分解斜視図
【符号の説明】
【００４４】
１１  ケース
１２  タッチパネル
１３  ベースシート
１３Ａ  テール部
１４、１４Ｂ、１４Ｃ、１４Ｄ、１４Ｅ、１４Ｆ  導電層
１４Ａ  電極部
１５  カバーシート
１６  保持板
１６Ａ  突出部
１７  操作体
１７Ａ  操作部
１８  可動接点
１９  配線基板
２０、２１  固定接点
２２  ダイヤフラム
２３  被覆シート
２４  送信手段
２５  制御手段
２６  カバー
３０  電子機器
３１  表示画面
３２  カーソル
３３  ポインタ
【図１】
2009218986.tif 000003
【図２】
2009218986.tif 000004
【図３】
2009218986.tif 000005
【図４】
2009218986.tif 000006
【図５】
2009218986.tif 000007
【図６】
2009218986.tif 000008
【図７】
2009218986.tif 000009
【図８】
2009218986.tif 000010